(57)【特許請求の範囲】
【請求項１】
子どもを対面式で、または前を向けた状態で運搬できるよう、装着者の両肩領域のまわりを延びる配置にされた胸部帯部（1）と、該胸部帯部に接続された腰部ベルト（2）と、前記胸部帯部と前記腰部ベルトに取り付けられた運搬用バッグ（3）とを備えていて、該運搬用バッグ（3）は、少なくとも前記胸部帯部（1）とで、脚用開口部を有する運搬ポーチ（5）を形成する前面部材（4）を備えており、該前面部材（4）は、少なくとも下部が前記腰部ベルト（2）に接続されて第1の座部支持体（12）を形成し、上部領域（7）においては、接続装置（8）によってそれぞれの胸部帯部（1）に取外し可能に接続されている構成のベビー・キャリアにおいて、より広い第2の座部支持体（9）が、前記腰部ベルト（2）と、前記前面部材（4）で該腰部ベルト（2）に対応する高さの領域との間に、少なくとも一部を取り外せるようにして配置されている、ベビー・キャリア。
【請求項２】
より広い前記第2の座部支持体（9）が、その全長にわたって実質的に同じ幅を有する、請求項1に記載のベビー・キャリア。
【請求項３】
より広い前記第2の座部支持体（9）が、前記第1の座部支持体（12）を形成する前記前面部材（4）の下部の外側に配置されている、請求項1または請求項2に記載のベビー・キャリア。
【請求項４】
より広い前記第2の座部支持体（9）が、前記第1の座部支持体（12）を形成する前記前面部材（4）の下部の内側に配置されている、請求項1から請求項3のいずれか一つの請求項に記載のベビー・キャリア。
【請求項５】
より広い前記第2の座部支持体（9）が、少なくとも1つの取外し可能な取り付け装置によって前記前面部材（4）の下部または前記腰部ベルト（2）に取外し可能に取り付けられている、請求項1から請求項4のいずれか一つの請求項に記載のベビー・キャリア。
【請求項６】
より広い前記第2の座部支持体（9）が、少なくとも1つの取外し可能な取り付け装置によって前記前面部材（4）の下部と前記腰部ベルト（2）の両方に取外し可能に取り付けられている、請求項1から請求項5のいずれか一つの請求項に記載のベビー・キャリア。
【請求項７】
前記少なくとも1つの取外し可能な取り付け装置が、ジップ-ファスナー、ベルクロ（登録商標）-ファスナー、プラスチックまたは金属からなる取り付け具、ボタン、フックとその受け部からなるグループの中から選択される、請求項5または請求項6に記載のベビー・キャリア。
【請求項８】
より広い前記第2の座部支持体（9）は、より狭い２個または数個の座部支持体に分割され、該より狭い２個または数個の座部支持体が合わさって広い座部支持体として形成されている、請求項1から請求項7のいずれか一つの請求項に記載のベビー・キャリア。
【請求項９】
幅が異なるより広い複数の第2の座部支持体（9）を取り付けることが可能である、請求項6から請求項8のいずれか一つの請求項に記載のベビー・キャリア。
【請求項１０】
装着者の背中側にある胸部帯部（1）が、該胸部帯部の長さに沿って移動可能な取り付け具によって互いに接続されている、請求項1から請求項9のいずれか一つの請求項に記載のベビー・キャリア。
【発明の詳細な説明】
【技術分野】
【０００１】
本発明は、子どもを対面式で、または前を向けた状態で運搬できるよう、装着者の両肩領域のまわりを延びる配置にされた胸部帯部と、その胸部帯部に接続された腰部ベルトと、その胸部帯部とその腰部ベルトに取り付けられた運搬用バッグとを備えていて、その運搬用バッグは、少なくとも胸部帯部とで、脚用開口部を有する運搬ポーチを形成する前面部材を備えており、その前面部材は、少なくとも下部が腰部ベルトに接続されて第1の座部支持体を形成し、上部領域においては、接続装置によってそれぞれの胸部帯部に取外し可能に接続されている構成のベビー・キャリア（乳児運搬具）に関する。
【０００２】
したがって本発明は、胸部帯部を含む一般的なタイプのおぶい紐と、そのおぶい紐に取り付けられる運搬用ポーチとを含むタイプのベビー・キャリアに関する。なおその運搬ポーチは、脚用開口部が設けられた前面部材またはその一部で形成されていて、装着者の胸側に設けることができる。
【背景技術】
【０００３】
特に子どもがもはや赤ん坊ではなくなって自分のまわりの世界を“発見”し始めるときにその子どもを胸側で運搬するとき、その子どもを対面式で運ぶことができる一方で、前を向けた状態でも、すなわち子どもが顔を装着者から離した状態でも運搬できることが望ましい。
【０００４】
しかしベビー・キャリアの中で子どもが座っている状態を例えば対面式から前を向けた状態に変えるときには、ベビー・キャリアの形を子どもの骨盤の領域で大きく変える必要がある。なぜならベビー・キャリアの座部支持体の有効幅を、子どもを対面式で運搬するときの相対的に広い座部支持体と、子どもを前を向けた状態で運搬するときの相対的に狭い座部支持体の間で変えることができねばならないからである。座部支持体が狭いと、子どもは脚を容易に動かすことができる。これは、運動機能を好ましく発達させる上で重要である。座部支持体の幅のこの変化は、装着者がベビー・キャリアを装着した状態で、好ましくは子どもがベビー・キャリアの中に座っているときでさえ、迅速かつ簡単にできねばならない。
【０００５】
より好ましくは、ベビー・キャリアの中で子どもが座っている状態を、子どもが以下のように座れるように変えられることが望ましい。
i）装着者の腰のまわりに子どもの脚がある状態で対面式に座る。そのため広い座部支持体が必要とされる。
ii）子どもの脚が完全に自由に動ける状態で対面式に座る。そのため相対的に狭い座部支持体が必要とされる。
iii）子どもの脚が完全に自由に動ける状態で前向きに座る。そのためこの場合にも相対的に狭い座部支持体が必要とされる。したがって、子どもが座る状態を変えるときに変えねばならないのは、子どもの脚の位置である。
【０００６】
座部支持体の幅を変えねばならない別の理由は、子どもが前を向いた状態で座っているとき、座部支持体は、子どもの両脚が無理に離されるような幅にしてはならないというものである。すなわち座席の形態は、子どもにとって脚が正しい位置になるようできるだけ人間工学的であることが望ましい。しかし両脚が座部支持体上で無理に離された状態になる場合には、大腿部の領域で子どもの脚の内部の圧力が生じてその領域内の血管にとって不利な状況になり、脚の中の血流が減少する可能性がある。座部支持体は、より重い子どもを運搬するときに広すぎないことが特に重要である。
【０００７】
米国特許第6,443,339 B1号には、子どもを対面式と前を向けた状態の両方で保持するのに使用されるベビー・キャリアとして、子どもを前を向けた状態にするときには背もたれの下部の幅を狭くする幅低減部材が設けられたベビー・キャリアが記載されている。幅低減部材は、ループと協働することのできる紐、または長さを調節できるベルト、またはフックと協働することのできるD-リングを含むことが記載され、図示されている。しかし背もたれの下部の幅は、望むように調節することはできない。
【発明の概要】
【発明が解決しようとする課題】
【０００８】
そこで本発明の目的は、ベビー・キャリアの着脱の必要なしに、ベビー・キャリアの中に座っている子どもの脚が最適な状態になるよう迅速かつ簡単な方法で座部支持体を大きく変えて子どもにとって好ましい座った状態が実現されるようにする座部支持体を実現したベビー・キャリアを達成することである。
【課題を解決するための手段】
【０００９】
この目的は、本発明により、子どもを対面式で、または前を向けた状態で運搬できるよう、装着者の両肩領域のまわりを延びる配置にされた胸部帯部と、その胸部帯部に接続された腰部ベルトと、その胸部帯部とその腰部ベルトに取り付けられた運搬用バッグとを備えていて、その運搬用バッグは、少なくとも胸部帯部とで、脚用開口部を有する運搬ポーチを形成する前面部材を備えており、その前面部材は、少なくとも下部が腰部ベルトに接続されて第1の座部支持体を形成し、上部領域においては、接続装置によってそれぞれの胸部帯部に取外し可能に接続されている構成のベビー・キャリアにおいて、より広い第2の座部支持体が、腰部ベルトと、前面部材でその腰部ベルトに対応する高さの領域との間に、少なくとも一部を取り外せるようにして配置されているベビー・キャリアによって達成される。
【００１０】
本発明によるベビー・キャリアの別の実施形態は、従属請求項に記載されている。
【００１１】
これから本発明を、添付の図面を参照して一実施形態の形態でより詳しく説明するが、本発明がこの実施形態に限定されることはない。
【図面の簡単な説明】
【００１２】
【図１】広い座部支持体を有する本発明のベビー・キャリアが、概略を示した装着者の胸部に取り付けられた状態を示している。
【図２】狭い座部支持体を有する状態のベビー・キャリアを、図1と同じ方向から見た図である。
【図３】本発明のベビー・キャリアが、前面部材の上部を下方に折り曲げた状態で、概略を示した装着者の胸部に取り付けられた状態を示している。
【発明を実施するための形態】
【００１３】
図1は、本発明によるベビー・キャリアを示している。このベビー・キャリアは、調節可能な胸部帯部1と、調節可能な腰部ベルト2と、胸部帯部と腰部ベルトに取り付けられた運搬用バッグ3を備えている。調節可能な胸部帯部1は、装着者の両肩領域のまわりに延びていて、装着者の背中側で、胸部帯部の長さに沿って調節可能な取り付け具によって互いに接続されている。運搬用バッグ3は、前面部材4を備えていて、好ましい一実施形態では、脚用開口部が設けられた運搬用ポーチ5（図3）も備えている。運搬用ポーチ5は、前面部材4の下部を形成しており、胸部部材6（図3）も形成するようにできる。前面部材4は、上縁領域7において、取外し可能な接続装置8によってそれぞれの胸部帯部1に取外し可能に接続される。そのため上縁領域7は、好ましいことに、前向きの状態を有するベビー・キャリアの中に子どもが座るとき、または子どもをベビー・キャリアの中に入れるとき、下方に折り曲げることができる。それぞれの胸部帯部1の第1の端部1aは腰部ベルト2に取り付けられるのに対し、第2の端部1bは、このベビー・キャリアが装着された状態を見るとわかるように、鉛直方向を向いた状態の前面部材4の縁部に、前面部材の高さの中心よりもいくらか下の位置で取り付けられる。
【００１４】
胸部帯部1が装着者の両肩領域のまわりに延びる配置にされた状態に関しては、胸部帯部は、交差させてもよいし、装着者の背中側で互いに平行に延びるようにしてもよい。その両方の場合に、胸部帯部は、その帯部の長さに沿って移動可能な取り付け具によって互いに接続される。
【００１５】
さらに、前面部材4の少なくとも下部は腰部ベルト2に接続されていて、ベビー・キャリアで子ども（図示せず）を運搬するための相対的に広い幅を持つ第2の座部支持体9を形成している。座部支持体9のこの設計は、子どもを、対面式で、子どもの脚がベビー・キャリアの装着者の腰のまわりに来るようにして運搬することが望ましいときに利用される。子どもがこのように座っている状態は、比較的小さな子ども、すなわち赤ん坊について、その赤ん坊がどのように感じているかを観察することが望ましいときや、その赤ん坊が眠ろうとしているときに利用することが好ましい。そのとき、前面部材の上縁領域7は、子どもにとって頭の優れた支持体となる。上縁領域7の横方向に離れたそれぞれの側方縁部には、調節装置30が配置されている。例えば子どもが眠っているときに子どもの頭を最もよく支持できるようにするため、この調節装置30により、上縁領域7の有効な距離を選択的に設定することが可能になる。
【００１６】
図2には、より広い第2の座部支持体9が下方に折り曲げられた状態が示されている。この状態にすることで、より狭い第1の座部支持体12が前面部材4の下部で形成されて配置されていて、腰部ベルト2にその好ましくは上縁部の位置で接続されていることが観察できる。このより狭い座部支持体12は、子どもを対面式で、または前を向けた状態で運搬するときに使用することが好ましい。どちらの場合にも、このより狭い座部支持体のおかげで子どもの脚は完全に自由に動くことができる。したがって子どもの脚の位置を最適にできる。第1の座部支持体12の幅は、前面部材4の下部のこの構成により、適切な方法で子どもの両大腿部の内側を隔てる距離に合致させることができる。その結果、子どもがこのベビー・キャリアの中に座っているときには大腿部の内側に圧力が存在しないか、非常に小さな圧力しか存在しない。
【００１７】
第2の座部支持体9の上縁部は、図2からわかるように、例えばジップ-ファスナー、ベルクロ（登録商標）-ファスナー、プラスチックまたは金属からなる締め具、ボタン、フックとその受け部や、他の取外し可能な任意の取り付け具により、前面部材4の下部に取外し可能に取り付けることができる。第2の座部支持体の下縁部は、腰部ベルト2の上縁部に固定接続されることが好ましい。当業者には、座部支持体の上縁部を前面部材4の下部に固定接続し、座部支持体9の下縁部を上記の取り付け具によって腰部ベルト2に取外し可能に接続してもよいことは明らかであろう。すなわち座部支持体9は、腰部ベルト2と前面部材4の下部の間で少なくとも一部を取外し可能に配置することができる。すると第2の座部支持体9の下縁部と上縁部の一方または両方をこのベビー・キャリアから取り外すことができる。
【００１８】
図1と図2からわかるように、例えば1個または数個の開口部が設けられたループ10の形態をした結合装置10、11が、好ましくは胸部帯部1の第1の端部1aの下部と第2の端部1bの間の位置で、ベビー・キャリアのそれぞれの側に設けられたボタン11に取外し可能に接続できるようにされている。ループ10をボタン11に引っ掛けると、第1または第2の座部支持体の側縁部と、胸部帯部1の第1の端部1aおよび第2の端部1bとの間に形成される脚用開口部のサイズが小さくなるため、意に反して子どもがベビー・キャリアから滑り落ちることが阻止される。
【００１９】
図3では、前面部材4が接続装置8によって胸部帯部から外され、その胸部帯部1の第1の端部1aと第2の端部1bの位置にほぼ位置する線に沿って下方に折り曲げられた状態が示されている。ベビー・キャリアがこの状態になると、子どもを持ち上げてベビー・キャリアの中に入れたりベビー・キャリアから出したりすることが容易にできる。
【００２０】
前面部材4には、好ましくは上縁領域7の上隅と、胸部帯部1の第2の端部1bを前面部材4に取り付ける部分の上方の間の位置で、それぞれの側縁部に、その前面部材4の残部よりも柔らかいことが好ましい部分aを設けることができる。そうする理由は、前面部材4が子どもの腕と擦れないようにするためである。好ましい一実施形態では、胸部帯部1の第1の端部1aは、胸部部材6の内側に、すなわち子どもに向けて配置する。
【００２１】
図示していない一実施形態では、第2の座部支持体9をより狭い2個または数個の座部支持体に分割し、それらが合わさって広い座部支持体を形成するようにしてもよい。
【００２２】
図示していない別の一実施形態では、第2の座部支持体9は、前面部材4と腰部ベルト2から完全に取り外せるようにしてもよい。そのような一実施形態により、子どもの大きさに応じ、異なる幅を持つ複数の補助座部支持体9の間の切り換えが可能になる。
【００２３】
図示していないさらに別の一実施形態では、第2の座部支持体9は、第1の座部支持体12の内側に設けることができる。するとこの第2の座部支持体9は、例えば胃に対して折り曲げたり巻き上げたりすることや、完全に取外し可能にすることができる。
【図１】
0005620470.tif 000002
【図２】
0005620470.tif 000003
【図３】
0005620470.tif 000004